(57)【要約】【課題】  無線リソースを有効に利用しながら、送信パケットの再送制御を行うことを可能とする送信装置及び受信装置を提供する【解決手段】  無線基地局２０は、無線端末１０に送信パケットを送信する送信部２２０と、送信パケットの受信に成功したか否かを示す受信確認情報を無線端末１０から受信する受信部２１１と、受信確認情報に基づいて、無線端末１０に再送すべき第１送信パケットと無線端末１０に再送すべき第２送信パケットとを特定する特定部２１２と、第１送信パケットと第２送信パケットとの排他的論理和を含む排他的論理和パケットを再送パケットとして生成する再送パケット生成部２１５とを備え、送信部２２０は、再送パケット生成部２１５によって生成された排他的論理和パケットを再送パケットとして送信する。【選択図】  図３
2010004186.tif 000002
【特許請求の範囲】
【請求項１】
受信装置と無線通信を行う送信装置であって、
前記受信装置に送信パケットを送信する送信部と、
前記送信パケットの受信に成功したか否かを示す受信確認情報を前記受信装置から受信する受信部と、
前記受信確認情報に基づいて、前記受信装置に再送すべき前記送信パケットの少なくとも一部を構成する第１送信情報と、前記受信装置に再送すべき前記送信パケットの少なくとも一部を構成する第２送信情報とを特定する特定部と、
前記第１送信情報と前記第２送信情報との排他的論理和を含む排他的論理和パケットを、前記受信装置に再送すべき再送パケットとして生成する生成部とを備え、
前記送信部は、前記生成部によって生成された前記排他的論理和パケットを前記再送パケットとして送信することを特徴とする送信装置。
【請求項２】
前記受信装置は、複数の受信装置であり、
前記送信部は、前記複数の受信装置に前記送信パケット及び前記排他的論理和パケットをマルチキャストで送信し、
前記第１送信情報は、前記複数の受信装置のうち一の受信装置に再送すべき前記送信パケットであり、
前記第２送信情報は、前記複数の受信装置のうち他の受信装置に再送すべき前記送信パケットであることを特徴とする請求項１に記載の送信装置。
【請求項３】
前記受信確認情報に基づいて、前記排他的論理和パケットを生成するタイミングを制御するタイミング制御部をさらに備えることを特徴とする請求項１に記載の送信装置。
【請求項４】
前記複数の受信装置に新たに送信すべき前記送信パケットである新規パケットを送信するか、前記排他的論理和パケットを送信するかを判定する判定部をさらに備えることを特徴とする請求項１に記載の送信装置。
【請求項５】
送信装置と無線通信を行う受信装置であって、
前記送信装置から送信パケットを受信する受信部と、
前記送信パケットの受信に成功したか否かを示す受信確認情報を前記送信装置に送信する送信部と、
受信に失敗した前記送信パケットを復元する復元部とを備え、
前記受信部は、受信に失敗した前記送信パケットの少なくも一部を構成する複数の送信情報の排他的論理和を含む排他的論理和パケットを受信し、
前記復元部は、前記排他的論理和パケットに基づいて、受信に失敗した前記送信パケットを復元することを特徴とする受信装置。
【発明の詳細な説明】
【技術分野】
【０００１】
本発明は、送信パケットを送信する送信装置、及び、送信パケットを受信する受信装置に関する。
【背景技術】
【０００２】
従来、複数の無線端末に送信パケットをマルチキャストで送信するマルチキャスト技術（例えば、ＭＢＭＳ；Ｍｕｌｔｉｍｅｄｉａ  Ｂｒｏａｄｃａｓｔ  Ｍｕｌｔｉｃａｓｔ  Ｓｅｒｖｉｃｅ）が知られている。
【０００３】
一方で、複数の無線端末に送信パケットをユニキャストで送信するユニキャスト技術も知られている。ユニキャスト技術では、ＨＡＲＱ（Ｈｙｂｒｉｄ  Ａｕｔｏｍａｔｉｃ  Ｒｅｐｅａｔ  Ｒｅｑｕｅｓｔ）などの再送制御が適用される。具体的には、送信パケットの受信に成功したか否かを示す受信確認情報（ＡＣＫやＮＡＣＫ）を無線端末が送信することによって、Ｎａｃｋに対応する送信パケットが再送される。
【０００４】
マルチキャスト技術では、複数の無線端末に送信パケットがマルチキャストで送信されるため、ユニキャスト技術で用いられる再送制御を適用することが困難である。具体的には、マルチキャスト技術では、一部の無線端末が送信パケットの受信に失敗しても、他の無線端末が送信パケットの受信に成功するケースが考えられる。従って、送信パケットの受信に成功した他の無線端末にまで、Ｎａｃｋに対応する送信パケットが再送されてしまう。
【０００５】
これに対して、重要な送信パケットの受信に失敗した場合にのみ、重要な送信パケットの再送を要求する情報（すなわち、Ｎａｃｋ）を送信するように構成された無線端末が提案されている（例えば、特許文献１）。
【特許文献１】特開２００６−１０８８１２号公報（請求項１、［００３３］〜［００３６］等）
【発明の開示】
【発明が解決しようとする課題】
【０００６】
しかしながら、上述した従来技術では、再送対象の送信パケットを重要な送信パケットに限定しているに過ぎない。従って、依然として、送信パケットの受信に成功した他の無線端末にまで、Ｎａｃｋに対応する送信パケットが再送されてしまう。
【０００７】
このように、上述した従来技術では、無線基地局と無線端末との間において無線リソースが有効に利用されていない。
【０００８】
そこで、本発明は、上述した課題を解決するためになされたものであり、無線リソースを有効に利用しながら、送信パケットの再送制御を行うことを可能とする送信装置及び受信装置を提供することを目的とする。
【課題を解決するための手段】
【０００９】
本発明の一の特徴では、受信装置と無線通信を行う送信装置は、前記受信装置に送信パケットを送信する送信部（送信部２２０）と、前記送信パケットの受信に成功したか否かを示す受信確認情報を前記複数の受信装置から受信する受信部（受信部２１１）と、前記受信確認情報に基づいて、前記受信装置に再送すべき前記送信パケットの少なくとも一部を構成する第１送信情報と、前記受信装置に再送すべき前記送信パケットの少なくとも一部を構成する第２送信情報とを特定する特定部（特定部２１２）と、前記第１送信情報と前記第２送信情報との排他的論理和を含む排他的論理和パケットを、前記受信装置に再送すべき再送パケットとして生成する生成部（再送パケット生成部２１５）とを備える。前記送信部は、前記生成部によって生成された前記排他的論理和パケットを前記再送パケットとして送信する。
【００１０】
かかる特徴によれば、送信部は、第１送信情報と第２送信情報との排他的論理和を含む排他的論理和パケットを再送パケットとして送信する。従って、複数の再送パケットを送信する必要があっても、複数の再送パケットを排他的論理和パケットに纏めることによって、再送パケットの再送に必要な無線リソースを削減することができる。
【００１１】
これによって、無線リソースを有効に利用しながら、送信パケットの再送制御を行うことができる。
【００１２】
本発明の上述した特徴において、前記受信装置は、複数の受信装置である。前記送信部は、前記複数の受信装置に前記送信パケット及び前記排他的論理和パケットをマルチキャストで送信する。前記第１送信情報は、前記複数の受信装置のうち一の受信装置に再送すべき前記送信パケットである。前記第２送信情報は、前記複数の受信装置のうち他の受信装置に再送すべき前記送信パケットである。
【００１３】
本発明の上述した特徴において、送信装置は、前記受信確認情報に基づいて、前記排他的論理和パケットを生成するタイミングを制御するタイミング制御部（タイミング制御部２１４）をさらに備える。
【００１４】
本発明の上述した特徴において、送信装置は、前記受信装置に新たに送信すべき前記送信パケットである新規パケットを送信するか、前記排他的論理和パケットを送信するかを判定する判定部（判定部２１６）をさらに備える。
【００１５】
本発明の一の特徴では、送信装置と無線通信を行う受信装置無線端末は、前記送信装置から送信パケットを受信する受信部（受信部１１１）と、前記送信パケットの受信に成功したか否かを示す受信確認情報を前記送信装置に送信する送信部（送信部１１６）と、受信に失敗した前記送信パケットを復元する復元部（復元部１１９）とを備える。前記受信部は、受信に失敗した前記送信パケットの少なくとも一部を構成する複数の送信情報の排他的論理和を含む排他的論理和パケットを受信し、前記復元部は、前記排他的論理和パケットに基づいて、受信に失敗した前記送信パケットを復元する。
【発明の効果】
【００１６】
本発明によれば、無線リソースを有効に利用しながら、送信パケットの再送制御を行うことを可能とする送信装置及び受信装置を提供することができる。
【発明を実施するための最良の形態】
【００１７】
以下において、本発明の実施形態に係る通信システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［第１実施形態］
（通信システムの構成）
以下において、第１実施形態に係る通信システムの構成について、図面を参照しながら説明する。図１は、第１実施形態に係る通信システムの構成を示す図である。
【００２０】
図１に示すように、通信システムは、複数の無線端末１０（無線端末１０Ａ及び無線端末１０Ｂ）と、無線基地局２０とを有する。
【００２１】
無線端末１０は、無線基地局２０と無線通信を行う端末（携帯電話やＰＤＡなど）である。無線端末１０は、送信パケットをマルチキャストで無線基地局２０から受信する。無線端末１０は、無線基地局２０からの送信パケットの受信に成功したか否かを示す受信確認情報を無線基地局２０に送信する。送信パケットの受信に成功したことを示す情報をＡＣＫと称し、送信パケットの受信に失敗したことを示す情報をＮＡＣＫと称する。なお、無線端末１０の詳細については後述する（図２を参照）。
【００２２】
無線基地局２０は、エリア内に在圏する無線端末１０と無線通信を行う。無線基地局２０は、送信パケットをマルチキャストで無線端末１０に送信する。無線基地局２０は、ＮＡＣＫに対応する送信パケットの取得に用いる再送パケットを無線端末１０に送信する。無線基地局２０は、受信確認情報を無線端末１０から受信する。
【００２３】
ここで、無線基地局２０は、一の無線端末１０に再送すべき送信パケット（第１送信パケット）と他の無線端末１０に再送すべき送信パケット（第２送信パケット）との排他的論理和である排他的論理和パケットを生成する。無線基地局２０は、再送パケットとして排他的論理和パケットを複数の無線端末１０にマルチキャストで送信する。なお、第１送信パケット及び第２送信パケットは、無線端末１０に再送すべき送信パケットを構成する送信情報である。
【００２４】
なお、無線基地局２０は、排他的論理和パケットではなくて、ＮＡＣＫに対応する送信パケットを単独で再送パケットとして無線端末１０に送信してもよい。このような再送パケットについては、排他的論理和パケットと区別するため、単独再送パケットと称する。なお、無線基地局２０の詳細については後述する（図３を参照）。
【００２５】
（無線端末の構成）
以下において、第１実施形態に係る無線端末の構成について、図面を参照しながら説明する。図２は、第１実施形態に係る無線端末１０の構成を示すブロック図である。
【００２６】
図２に示すように、無線端末１０は、受信部１１１と、復調部１１２と、誤り訂正部１１３と、誤り検出部１１４と、、受信確認情報生成部１１５と、送信部１１６と、検出部１１７と、受信バッファ１１８と、復元部１１９とを有する。
【００２７】
受信部１１１は、無線基地局２０と無線通信を行う。具体的には、受信部１１１は、送信パケットをマルチキャストで無線基地局２０から受信する。受信部１１１は、ＮＡＣＫに対応する送信パケットである再送パケット（排他的論理和パケットや単独再送パケット）を無線基地局２０から受信する。
【００２８】
例えば、受信部１１１は、分離部と、チャネル推定部と、等価器とを有する。分離部は、受信信号からパイロットシンボルを分離する。チャネル推定部は、パイロットシンボルに基づいて、伝搬路状態（振幅や位相のずれ）を推定する。等価器は、伝搬路状態に基づいて、受信信号の振幅や位相を修正する。受信部１１１は、振幅や位相が修正された受信信号を復調部１１２に出力する。受信部１１１は、パケットの宛先や内容などを示す信号を受信信号から抽出して、パケットの宛先や内容などを示す信号を検出部１１７に出力する。
【００２９】
復調部１１２は、振幅や位相が修正された受信信号を復調する。具体的には、復調部１１２は、受信信号に基づいて、パケットに対応するシンボル列を取得して、シンボル列に基づいて、パケットに対応するビット列を取得する。復調部１１２は、パケットに対応するビット列を誤り訂正部１１３に出力する。
【００３０】
誤り訂正部１１３は、パケットに対応するビット列を復号し、ビット列の誤り訂正を行う。誤り訂正部１１３は、誤り訂正が施されたビット列を出力する。具体的には、誤り訂正部１１３は、送信パケット及び単独再送パケットに対応するビット列を受信バッファ１１８に出力する。また、誤り訂正部１１３は、排他的論理和パケットに対応するビット列を復元部１１９に出力する。
【００３１】
誤り検出部１１４は、誤り訂正が施されたビット列の誤り検出を行う。例えば、誤り検出部１１４は、ＣＲＣ（Ｃｙｃｌｉｃ  Ｒｅｄｕｎｄａｎｃｙ  Ｃｈｅｃｋ）によってビット列の誤り検出を行う。
【００３２】
具体的には、誤り検出部１１４は、送信パケット又は単独再送パケットを受信バッファ１１８から取得して、送信パケット又は単独再送パケットに対応するビット列の誤り検出を行う。誤り検出部１１４は、復元部１１９によって復元された送信パケット（以下、復元パケット）を受信バッファ１１８から取得して、復元パケットに対応するビット列の誤り検出を行う。
【００３３】
誤り検出部１１４は、ビット列の誤りが検出された場合には、パケットの受信に失敗した旨を受信確認情報生成部１１５に出力する。誤り検出部１１４は、ビット列の誤りが検出されなかった場合には、パケットの受信に成功した旨を受信確認情報生成部１１５に出力する。
【００３４】
受信確認情報生成部１１５は、無線基地局２０からの送信パケットの受信に成功したか否かを示す受信確認情報を生成する。具体的には、受信確認情報生成部１１５は、送信パケットの受信に成功した場合には、受信確認情報としてＡＣＫを生成する。一方で、受信確認情報生成部１１５は、送信パケットの受信に失敗した場合には、受信確認情報としてＮＡＣＫを生成する。
【００３５】
送信部１１６は、無線基地局２０と無線通信を行う。具体的には、送信部１１６は、受信確認情報生成部１１５によって生成された受信確認情報を無線基地局２０に送信する。
【００３６】
検出部１１７は、受信部１１１から取得する信号によって、パケットの宛先や内容などを検出する。具体的には、検出部１１７は、排他的論理和パケットの生成に用いられた送信パケットを検出して、排他的論理和パケットの生成に用いられた送信パケットを示す情報を受信バッファ１１８に出力する。
【００３７】
受信バッファ１１８は、無線基地局２０から受信した情報を格納するバッファである。具体的には、受信バッファ１１８は、無線基地局２０から受信した送信パケットを格納する。また、受信バッファ１１８は、排他的論理和パケットの生成に用いられた送信パケットを示す情報を格納する。
【００３８】
復元部１１９は、受信バッファ１１８に格納された送信パケット及び排他的論理和パケット（再送パケット）に基づいて、ＮＡＣＫに対応する送信パケットを復元する。具体的には、復元部１１９は、受信に成功した送信パケットと排他的論理和パケットとの排他的論理和を算出して、ＮＡＣＫに対応する送信パケットを復元する。復元部１１９は、復元部１１９によって復元された送信パケット（すなわち、復元パケット）を受信バッファ１１８に出力する。なお、復元部１１９は、単独再送パケットについては復元する必要がないことに留意すべきである。
【００３９】
ここで、復元部１１９は、排他的論理和パケットに対応するビット列を誤り訂正部１１３から取得する。復元部１１９は、排他的論理和パケットの生成に用いられた送信パケットを示す情報を受信バッファ１１８から取得する。続いて、復元部１１９は、排他的論理和パケットの生成に用いられた送信パケットを受信バッファ１１８から取得する。
【００４０】
第１実施形態では、排他的論理和パケットは、無線基地局２０からの受信に成功した送信パケット（ＡＣＫに対応する送信パケット）と無線基地局２０からの受信に失敗した送信パケット（ＮＡＣＫに対応する送信パケット）との排他的論理和である。
【００４１】
（無線基地局の構成）
以下において、第１実施形態に係る無線基地局の構成について、図面を参照しながら説明する。図３は、第１実施形態に係る無線基地局２０の構成を示すブロック図である。
【００４２】
図３に示すように、無線基地局２０は、受信部２１１と、特定部２１２と、送信バッファ２１３と、タイミング制御部２１４と、再送パケット生成部２１５と、判定部２１６と、誤り検出付与部２１７と、誤り訂正付与部２１８と、変調部２１９と、送信部２２０とを有する。
【００４３】
受信部２１１は、複数の無線端末１０と無線通信を行う。具体的には、受信部２１１は、送信パケットの受信に成功したか否かを示す受信確認情報を無線端末１０から受信する。
【００４４】
特定部２１２は、一の無線端末１０に再送すべき送信パケット（第１送信パケット）と、他の無線端末１０に再送すべき送信パケット（第２送信パケット）とを特定する。ここで、第１送信パケットは、第１送信パケットと第２送信パケットとの排他的論理和である排他的論理和パケットの送信前において、一の無線端末１０が受信に失敗しており、他の無線端末１０が受信に成功した送信パケットである。一方で、第２送信パケットは、第１送信パケットと第２送信パケットとの排他的論理和である排他的論理和パケットの送信前において、他の無線端末１０が受信に失敗しており、一の無線端末１０が受信に成功した送信パケットである。
【００４５】
送信バッファ２１３は、複数の無線端末１０に送信すべき送信パケットを格納するバッファである。送信パケットは、送信パケットの再送に備えて、無線端末１０に送信されてから所定期間（例えば、送信パケットに設定された最大遅延許容時間）に亘って送信バッファ２１３に保持される。
【００４６】
なお、送信バッファ２１３に格納された送信パケットは、無線端末１０に送信されてから所定期間が経過した際に廃棄される。
【００４７】
タイミング制御部２１４は、無線端末１０から受信した受信確認情報に基づいて、再送パケットの再送処理を行うタイミングを制御する。具体的には、タイミング制御部２１４は、ＮＡＣＫを受信してから所定の待ち時間が経過すると、ＮＡＣＫに対応する再送パケットの生成を再送パケット生成部２１５に指示する。所定の待ち時間は、送信パケットに設定された最大遅延許容時間に基づいて、最大遅延許容時間を越えないように定められる。
【００４８】
ここで、タイミング制御部２１４は、送信バッファ２１３に格納された送信パケット量（すなわち、ネットワーク負荷）を監視する。タイミング制御部２１４は、ネットワーク負荷が所定負荷以上である場合には、ネットワーク負荷が所定負荷未満である場合よりも、所定の待ち時間を長く設定する。
【００４９】
これによって、ネットワーク負荷が所定負荷以上である場合には、ネットワーク負荷が所定負荷未満である場合よりも、単独再送パケットよりも排他的論理和パケットが再送パケットとして生成される可能性が高まる。一方で、ネットワーク負荷が所定負荷未満である場合には、ネットワーク負荷が所定負荷以上である場合よりも、排他的論理和パケットよりも単独再送パケットが再送パケットとして生成される可能性が高まる。
【００５０】
再送パケット生成部２１５は、タイミング制御部２１４の指示に応じて、無線端末１０に再送すべき送信パケットである再送パケットを生成する。
【００５１】
具体的には、再送パケット生成部２１５は、第１送信パケット及び第２送信パケットが特定部２１２によって特定されている場合には、第１送信パケットと第２送信パケットとの排他的論理和である排他的論理和パケットを再送パケットとして生成する。
【００５２】
一方で、再送パケット生成部２１５は、第１送信パケット及び第２送信パケットが特定部２１２によって特定されていない場合には、無線端末１０から受信したＮＡＣＫに対応する送信パケットである単独再送パケットを再送パケットとして生成する。
【００５３】
判定部２１６は、複数の無線端末１０に新たに送信すべき送信パケットである新規パケットを送信するか、再送パケットを送信するかを判定する。具体的には、判定部２１６は、送信パケットの種類に基づいて、新規パケットを送信するか、再送パケットを送信するかを判定する。
【００５４】
送信パケットの種類とは、例えば、最大遅延許容時間が比較的長い非リアルタイムパケット（データ伝送など）、最大遅延許容時間が比較的短いリアルタイムパケット（ストリーミング伝送など）である。
【００５５】
判定部２１６は、送信パケットが非リアルタイムパケットである場合には、新規パケットよりも再送パケットを優先する。一方で、判定部２１６は、送信パケットがリアルタイムパケットである場合には、再送パケットよりも新規パケットを優先する。
【００５６】
なお、新規パケットに割り当てるリソース（新規リソース）と再送パケットに割り当てるリソース（再送リソース）との割合は、ネットワーク負荷に応じて定められる。例えば、ネットワーク負荷が所定負荷以上である場合には、ネットワーク負荷が所定負荷未満である場合よりも、新規リソースの割合を低くする。これによって、再送パケットの過剰な発生が抑制される。
【００５７】
誤り検出付与部２１７は、判定部２１６の判定結果に応じて、無線端末１０に送信すべきパケット（新規パケット又は再送パケット）を送信バッファ２１３から取得する。誤り検出付与部２１７は、パケットに対応するビット列に誤り検出ビットを付与する。例えば、誤り検出付与部２１７は、ＣＲＣ（Ｃｙｃｌｉｃ  Ｒｅｄｕｎｄａｎｃｙ  Ｃｈｅｃｋ）ビットを付与する。誤り検出付与部２１７は、誤り検出ビットが付与されたビット列を誤り訂正付与部２１８に出力する。
【００５８】
誤り訂正付与部２１８は、パケットに対応するビット列を符号化して、パケットに対応するビット列に誤り訂正ビットを付与する。誤り訂正付与部２１８は、符号化されたビット列を変調部２１９に出力する。
【００５９】
変調部２１９は、パケットに対応するビット列を変調する。具体的には、変調部２１９は、パケットに対応するビット列に基づいて、パケットに対応するシンボル列を取得して、シンボル列に基づいて、パケットに対応する送信信号を取得する。変調部２１９は、パケットに対応する送信信号を送信部２２０に出力する。
【００６０】
送信部２２０は、複数の無線端末１０と無線通信を行う。具体的には、送信部２２０は、新規パケット又は再送パケットを複数の無線端末１０にマルチキャストで送信する。
【００６１】
再送パケットは、上述したように、再送パケット生成部２１５によって生成される。再送パケットは、複数の無線端末１０に送信すべき再送パケットの排他的論理和である排他的論理和パケットと、単数の無線端末１０に送信すべき再送パケットである単独再送パケットである。
【００６２】
ここでは、再送パケット生成部２１５は、誤り検出ビット及び誤り訂正ビットの付与前に、第１送信パケット及び第２送信パケットを用いて排他的論理和パケットを生成するが、排他的論理和パケットの生成は、これに限定されるものではない。具体的には、再送パケット生成部２１５は、第１送信パケット及び第２送信パケットに誤り検出ビット及び誤り訂正ビットを付与した後に、誤り検出ビット及び誤り訂正ビットが付与された第１送信パケット及び第２送信パケットを用いて排他的論理和パケットを生成してもよい。
【００６３】
（再送パケットの再送）
以下において、第１実施形態に係る再送パケットの再送について、図面を参照しながら説明する。図４は、第１実施形態に係る再送パケットの再送を説明するための図である。
【００６４】
図４に示すように、無線端末１０Ａは、送信パケット＃２の受信に失敗するが、送信パケット＃１、送信パケット＃３〜送信パケット＃５の受信に成功する。一方で、無線端末１０Ｂは、送信パケット＃４の受信に失敗するが、送信パケット＃１〜送信パケット＃３、送信パケット＃５の受信に成功する。
【００６５】
無線基地局２０は、送信パケット＃２（第１送信パケット）と送信パケット＃４（第２送信パケット）との排他的論理和である排他的論理和パケットを再送パケットとして、無線端末１０Ａ及び無線端末１０Ｂに送信する。
【００６６】
無線端末１０Ａは、排他的論理和パケットと送信パケット＃４（第２送信パケット）との排他的論理和をとることによって、送信パケット＃２（第１送信パケット）を復元する。一方で、無線端末１０Ｂは、排他的論理和パケットと送信パケット＃２（第１送信パケット）との排他的論理和をとることによって、送信パケット＃４（第２送信パケット）を復元する。
【００６７】
（通信システムの動作）
以下において、第１実施形態に係る通信システムの動作について、図面を参照しながら説明する。図５は、第１実施形態に係る通信システムの動作を示すシーケンス図である。
【００６８】
図５に示すように、ステップ１０において、無線基地局２０は、複数の無線端末１０（無線端末１０Ａ及び無線端末１０Ｂ）に送信パケットをマルチキャストで送信する。
【００６９】
ステップ１１において、無線端末１０Ａは、送信パケットの受信に成功したか否かを示す受信確認情報（ＡＣＫ又はＮＡＣＫ）を無線基地局２０に送信する。
【００７０】
ステップ１２において、無線端末１０Ｂは、送信パケットの受信に成功したか否かを示す受信確認情報（ＡＣＫ又はＮＡＣＫ）を無線基地局２０に送信する。
【００７１】
なお、ステップ１０〜ステップ１２の処理は繰り返される。
【００７２】
ステップ１３において、無線基地局２０は、無線端末１０Ａ又は無線端末１０ＢからＮＡＣＫを受信してから所定の待ち時間が経過すると、ＮＡＣＫに対応する再送パケットを生成する。
【００７３】
ここで、所定の待ち時間は、上述したように、送信パケットに設定された最大遅延許容時間に基づいて、最大遅延許容時間を越えないように定められる。また、所定の待ち時間は、ネットワーク負荷に応じて定められる。
【００７４】
また、再送パケットは、無線端末１０Ａに再送すべき第１送信パケットと無線端末１０Ｂに再送すべき第２送信パケットとの排他的論理和である排他的論理和パケット、無線端末１０Ａ又は無線端末１０Ｂに単独で再送すべき単独再送パケットなどである。
【００７５】
以下においては、再送パケットが排他的論理和パケットであるものとして説明を続ける。
【００７６】
ステップ１４において、無線基地局２０は、複数の無線端末１０（無線端末１０Ａ及び無線端末１０Ｂ）に排他的論理和パケット（再送パケット）をマルチキャストで送信する。
【００７７】
ステップ１５において、無線端末１０Ａは、排他的論理和パケットと第２送信パケットとの排他的論理和をとることによって、第１送信パケットを復元する。なお、無線端末１０Ａは、排他的論理和パケットを受信する前に、第２送信パケットを送信パケットとして既に受信している。
【００７８】
ステップ１６において、無線端末１０Ｂは、排他的論理和パケットと第１送信パケットとの排他的論理和をとることによって、第２送信パケットを復元する。なお、無線端末１０Ｂは、排他的論理和パケットを受信する前に、第１送信パケットを送信パケットとして既に受信している。
【００７９】
（作用及び効果）
第１実施形態に係る無線基地局２０によれば、無線基地局２０は、第１送信パケットと第２送信パケットとの排他的論理和を含む排他的論理和パケットを再送パケットとしてマルチキャストで送信する。従って、複数の再送パケットを送信する必要があっても、複数の再送パケットを排他的論理和パケットに纏めることによって、再送パケットの再送に必要な無線リソースを削減することができる。
【００８０】
これによって、マルチキャストで送信パケットが送信される通信システムにおいて、無線リソースを有効に利用しながら、送信パケットの再送制御を行うことができる。
【００８１】
第１実施形態に係る無線基地局２０によれば、無線基地局２０は、送信バッファ２１３に格納された送信パケット量（すなわち、ネットワーク負荷）に基づいて、送信パケットを送信してから該送信パケットを再送するまでの所定の待ち時間を設定する。
【００８２】
すなわち、ネットワーク負荷が所定負荷以上である場合には、単独再送パケットよりも排他的論理和パケットが優先して生成され、ネットワーク負荷が所定負荷未満である場合には、排他的論理和パケットよりも単独再送パケットが優先して生成される。
【００８３】
これによって、マルチキャストで送信パケットが送信される通信システムにおいて、無線リソースをさらに有効に利用することができる。
【００８４】
第１実施形態に係る無線基地局２０によれば、無線基地局２０は、送信パケットの種類に基づいて、新規パケットを送信するか、再送パケットを送信するかを判定する。これによって、送信パケットの種類に応じて適切な再送制御を行うことができる。
【００８５】
また、無線基地局２０は、ネットワーク負荷に基づいて、新規パケットを送信するか、再送パケットを送信するかを判定する。
【００８６】
すなわち、ネットワーク負荷が所定負荷以上である場合には、新規パケットよりも再送パケットが優先して送信され、ネットワーク負荷が所定負荷未満である場合には、再送パケットよりも新規パケットが優先して送信される。
【００８７】
これによって、マルチキャストで送信パケットが送信される通信システムにおいて、無線リソースをさらに有効に利用することができる。
【００８８】
［第２実施形態］
以下において、第２実施形態について、図面を参照しながら説明する。以下においては、第１実施形態と第２実施形態との相違点について主として説明する。
【００８９】
具体的には、第１実施形態では、送信パケットがマルチキャストで送信されるケースについて例示した。これに対して、第２実施形態では、送信パケットがユニキャストで送信されるケースについて例示する。第２実施形態では、送信パケットがユニキャストで送信されるため、排他的論理和パケットの生成に用いる複数の送信パケットは、無線端末１０が受信に失敗した複数の送信パケットであることに留意すべきである。
【００９０】
また、上述した第１実施形態では、排他的論理和パケットに対応するビット列と送信パケットに対応するビット列との排他的論理和の算出によって、送信パケットの復元が行われる。これに対して、第２実施形態では、排他的論理和パケットに対応する各ビットの軟判定値と送信パケットに対応する各ビットの軟判定値とを用いて、送信パケットの復元が行われる。
【００９１】
ここで、軟判定値は、負の値又は正の値を取りうる。例えば、ビットの軟判定値が正の値である場合には、ビットの値が“１”であると判定されやすい。一方で、ビットの軟判定値が負の値である場合に、ビットの値が“０”であると判定されやすい。ビットの軟判定値の絶対値が大きいほど、ビットの判定結果に係る信頼度（尤度）が高い。
【００９２】
さらに、第２実施形態では、無線基地局２０は、第１送信パケット及び第２送信パケットに誤り検出ビット及び誤り訂正ビットを付与した後に、誤り検出ビット及び誤り訂正ビットが付与された第１送信パケット及び第２送信パケットを用いて、排他的論理和パケットを生成する。
【００９３】
（無線端末の構成）
以下において、第２実施形態に係る無線端末の構成について、図面を参照しながら説明する。図６は、第２実施形態に係る無線端末１０の構成を示すブロック図である。図６では、図２と同様の構成について同様の符号を付している。
【００９４】
図６に示すように、無線端末１０は、復元部１１９に代えて、復元部１１９Ａを有する。図２では、復元部１１９は、誤り訂正後の排他的論理和パケット（再送パケット）に基づいて、ＮＡＣＫに対応する送信パケットを復元する。これに対して、図６では、復元部１１９Ａは、復調後の排他的論理和パケット（再送パケット）に基づいて、ＮＡＣＫに対応する送信パケットを復元する。
【００９５】
具体的には、復元部１１９Ａは、復調後の排他的論理和パケットに対応する各ビットの軟判定値を復調部１１２から取得する。復元部１１９Ａは、排他的論理和パケットの生成に用いられた送信パケットを示す情報を受信バッファ１１８から取得する。続いて、復元部１１９Ａは、排他的論理和パケットの生成に用いられた送信パケットに対応する各ビットの軟判定値を受信バッファ１１８から取得する。
【００９６】
復元部１１９Ａは、復調後の排他的論理和パケットに対応する各ビットの軟判定値と排他的論理和パケットの生成に用いられた送信パケットに対応する各ビットの軟判定値とを用いて、ＮＡＣＫに対応する送信パケットを復元する。
【００９７】
具体的には、復元部１１９Ａは、復調後の排他的論理和パケットに対応する各ビットの軟判定値と排他的論理和パケットの生成に用いられた送信パケットに対応する各ビットの軟判定値とを乗算して、乗算結果の符号を反転させる。復元部１１９Ａは、符号が反転された乗算結果を、中間復元パケットに対応する各ビットの軟判定値として取得する。続いて、復元部１１９Ａは、排他的論理和パケットの生成に用いられた送信パケットに対応する各ビットの軟判定値と中間復元パケットに対応する各ビットの軟判定値とを加算して、ＮＡＣＫに対応する送信パケットの尤度をビット毎に設定する。具体的には、復元部１１９Ａは、軟判定値の絶対値が小さいビットに低尤度を設定し、軟判定値の絶対値が大きいビットに高尤度を設定する。復元部１１９Ａは、ＮＡＣＫに対応する送信パケットの尤度を誤り訂正部１１３に出力する。
【００９８】
例えば、図７に示すように、ＮＡＣＫに対応する送信パケットがパケットＡ及びパケットＢであり、パケットＡとパケットＢとの排他的論理和によって排他的論理和パケットを受信するケースについて例示する。このようなケースにおいて、パケットＢの復元方法について説明する。第２実施形態では、パケットＡ及びパケットＢだけではなくて、排他的論理和パケットにもビット誤りが含まれるケースについて例示する。なお、パケットＡの復元方法については、パケットＢの復元方法と同様であるため、その説明については省略する。
【００９９】
ここでは、説明簡略化のために、各パケットがビット＃１〜ビット＃６によって構成されている。各パケットを構成するビットの数は、これに限定されるものではない。パケットＡにおいて、ビット＃２が誤っており、パケットＢにおいて、ビット＃４が誤っている。パケットＡ＋Ｂにおいて、ビット＃６が誤っている。
【０１００】
図８に示すように、復元部１１９Ａは、パケットＡに対応する各ビットの軟判定値とパケットＡ＋Ｂに対応する各ビットの軟判定値とを乗算して、乗算結果の符号を反転させる。復元部１１９Ａは、符号が反転された乗算結果を、中間復元パケットＢに対応する各ビットの軟判定値（軟判定値の絶対値が尤度）として取得する。
【０１０１】
図９に示すように、パケットＡにおいてビット＃２が誤っており、パケットＡ＋Ｂにおいてビット＃６が誤っているため、中間復元パケットＢにおいて、ビット＃２及びビット＃６が誤っている。上述したように、パケットＢにおいて、ビット＃４が誤っている。
【０１０２】
図１０に示すように、復元部１１９Ａは、中間復元パケットＢに対応する各ビットの軟判定値とパケットＢに対応する各ビットの軟判定値とを加算する。
【０１０３】
ここで、軟判定値を加算する段階において誤っているビット（ここでは、ビット＃２、ビット＃４及びビット＃６）については、パケットＢに対応するビットの軟判定値の符号（＋／−）と中間復元パケットＢに対応するビットの軟判定値の符号（＋／−）とは異なる。従って、これらのビットについては、軟判定値の加算によって絶対値が小さくなり、信頼度（尤度）が低くなる。
【０１０４】
一方で、軟判定値を加算する段階において誤っていないビット（ここでは、ビット＃１、ビット＃３及びビット＃５）については、パケットＢに対応するビットの軟判定値の符号（＋／−）と中間復元パケットＢに対応するビットの軟判定値の符号（＋／−）とは同じである。従って、これらのビットについては、軟判定値の加算によって絶対値が大きくなり、信頼度（尤度）が高くなる。
【０１０５】
以上のように、軟判定値の加算によって、誤りビットの訂正精度が向上する。
【０１０６】
続いて、復元部１１９Ａは、パケットＢの尤度（すなわち、軟判定値の加算結果の絶対値）を誤り訂正部１１３に出力する。
【０１０７】
誤り訂正部１１３は、中間復元パケットＢに対応するビット列を復号し、ビット列の誤り訂正を行う。ここで、誤り訂正部１１３は、各ビットに設定された尤度に従って、ビット列の誤り訂正を行う。なお、高尤度が設定されたビットについてはビット値が反転しにくく、低尤度が設定されたビットについてはビット値が反転しやすいことに留意すべきである。
【０１０８】
以上のように、軟判定値の加算後に、誤り訂正復号が行われるため、誤りビットが正しく訂正される可能性が高まる。
【０１０９】
（作用及び効果）
第２実施形態では、無線端末１０は、復調後の排他的論理和パケットに対応する各ビットの軟判定値と排他的論理和パケットの生成に用いられた送信パケットに対応する各ビットの軟判定値とを乗算して、乗算結果の符号を反転させる。無線端末１０は、符号が反転された乗算結果を、中間復元パケットに対応する各ビットの軟判定値として取得する。続いて、無線端末１０は、排他的論理和パケットの生成に用いられた送信パケットに対応する各ビットの軟判定値と中間復元パケットに対応する各ビットの軟判定値とを加算して、ＮＡＣＫに対応する送信パケットの尤度をビット毎に設定する。無線端末１０は、中間復元パケットを構成する各ビットに設定された尤度に従って、中間復元パケットを構成するビット列の誤り訂正を行う。
【０１１０】
従って、再送パケット（排他的論理和パケット）が誤りを含む場合であっても、再送パケットの再送に必要な無線リソースを削減しながら、誤り訂正の精度向上を図ることができる。
【０１１１】
［第３実施形態］
以下において、第３実施形態について、図面を参照しながら説明する。以下においては、第２実施形態と第３実施形態との相違点について主として説明する。
【０１１２】
具体的には、第２実施形態では、ＮＡＣＫに対応する送信パケットは、復調後の排他的論理和パケット（再送パケット）に基づいて復元される。これに対して、第３実施形態では、ＮＡＣＫに対応する送信パケットは、誤り訂正後の排他的論理和パケット（再送パケット）に基づいて復元される。第３実施形態では、第２実施形態と同様に、送信パケットがユニキャストで送信されるため、排他的論理和パケットの生成に用いる複数の送信パケットは、無線端末１０が受信に失敗した送信パケットであることに留意すべきである。
【０１１３】
さらに、第３実施形態では、無線基地局２０は、第１送信パケット及び第２送信パケットを用いて排他的論理和パケットを生成した後に、排他的論理和パケットに誤り検出ビット及び誤り訂正ビットを付与する。
【０１１４】
（無線端末の構成）
以下において、第３実施形態に係る無線端末の構成について、図面を参照しながら説明する。図１１は、第３実施形態に係る無線端末１０の構成を示すブロック図である。図１１では、図６と同様の構成について同様の符号を付している。
【０１１５】
図１１に示すように、無線端末１０は、復元部１１９Ａに代えて、復元部１１９Ｂを有する。図６では、復元部１１９Ａは、復調後の排他的論理和パケット（再送パケット）に基づいて、ＮＡＣＫに対応する送信パケットを復元する。これに対して、図１１では、復元部１１９Ｂは、誤り訂正後の排他的論理和パケット（再送パケット）に基づいて、ＮＡＣＫに対応する送信パケットを復元する。
【０１１６】
具体的には、復元部１１９Ｂは、誤り訂正後の排他的論理和パケットに対応する各ビットの軟判定値を誤り訂正部１１３から取得する。復元部１１９Ｂは、排他的論理和パケットの生成に用いられた送信パケットを示す情報を受信バッファ１１８から取得する。続いて、復元部１１９Ｂは、排他的論理和パケットの生成に用いられた送信パケットに対応する各ビットの軟判定値を受信バッファ１１８から取得する。
【０１１７】
復元部１１９Ｂは、誤り訂正後の排他的論理和パケットに対応する各ビットの軟判定値と排他的論理和パケットの生成に用いられた送信パケットに対応する各ビットの軟判定値とを用いて、ＮＡＣＫに対応する送信パケットを復元する。
【０１１８】
具体的には、復元部１１９Ｂは、誤り訂正後の排他的論理和パケットに対応する各ビットの軟判定値と排他的論理和パケットの生成に用いられた送信パケットに対応する各ビットの軟判定値とを乗算して、乗算結果の符号を反転させる。復元部１１９Ｂは、符号が反転された乗算結果を、中間復元パケットに対応する各ビットの軟判定値として取得する。続いて、復元部１１９Ｂは、排他的論理和パケットの生成に用いられた送信パケットに対応する各ビットの軟判定値と中間復元パケットに対応する各ビットの軟判定値とを加算して、ＮＡＣＫに対応する送信パケットの尤度をビット毎に設定する。復元部１１９Ｂは、ＮＡＣＫに対応する送信パケットの尤度を誤り訂正部１１３に出力する。
【０１１９】
（作用及び効果）
第３実施形態では、無線端末１０は、誤り訂正後の排他的論理和パケットに対応する各ビットの軟判定値と排他的論理和パケットの生成に用いられた送信パケットに対応する各ビットの軟判定値とを乗算して、乗算結果の符号を反転させる。無線端末１０は、符号が反転された乗算結果を、中間復元パケットに対応する各ビットの軟判定値として取得する。続いて、無線端末１０は、排他的論理和パケットの生成に用いられた送信パケットに対応する各ビットの軟判定値と中間復元パケットに対応する各ビットの軟判定値とを加算して、ＮＡＣＫに対応する送信パケットの尤度をビット毎に設定する。無線端末１０は、中間復元パケットを構成する各ビットに設定された尤度に従って、中間復元パケットを構成するビット列の誤り訂正を行う。
【０１２０】
従って、再送パケット（排他的論理和パケット）が誤りを含む場合であっても、再送パケットの再送に必要な無線リソースを削減しながら、誤り訂正の精度向上を図ることができる。
【０１２１】
［第４実施形態］
以下において、第４実施形態について、図面を参照しながら説明する。以下においては、上述した実施形態と第４実施形態との相違点について主として説明する。
【０１２２】
上述した実施形態では、排他的論理和パケットは、複数のパケットの排他的論理和である。第４実施形態では、排他的論理和パケットは、１つの送信パケットを構成する複数のセクションの排他的論理和である。なお、複数のセクションは、無線端末１０に再送すべき送信パケットの一部を構成する送信情報である。
【０１２３】
具体的には、図１２に示すように、無線基地局２０は、無線端末１０から受信したＮＡＣＫに対応する送信パケットＸを複数のセクション（セクションＡ及びセクションＢ）に分割する。続いて、図１３に示すように、無線基地局２０は、複数のセクションを構成するビット列の排他的論理和を算出して、排他的論理和パケットを取得する。
【０１２４】
（作用及び効果）
第４実施形態では、排他的論理和パケットは、１つの送信パケットを構成する複数のセクションの排他的論理和である。従って、複数の送信パケットに対応するＮＡＣＫを受信するまで待つ必要が無いため、再送パケットの再送遅延を短縮することができる。
【０１２５】
［第５実施形態］
以下において、第５実施形態について、図面を参照しながら説明する。以下においては、第１実施形態と第５実施形態との相違点について主として説明する。
【０１２６】
第１実施形態では、図１４に示すように、各無線端末１０（ユーザ）は、各無線端末１０に個別の無線リソースを用いて、受信確認情報を送信する。個別の無線リソースは、タイムスロット、周波数又はコードなどが異なることを意味する。
【０１２７】
一方で、第５実施形態では、各無線端末１０は、複数の無線端末１０に共通の無線リソースを用いて、受信確認情報を送信する。共通の無線リソースは、タイムスロット、周波数又はコードなどが同じであることを意味する。
【０１２８】
ここでは、各無線端末１０は、送信パケットの受信に成功した場合に、ＡＣＫを送信せずに、送信パケットの受信に失敗した場合に、共通の無線リソース（共通ＮＡＣＫチャネル）を用いてＮＡＣＫを送信する。共通ＮＡＣＫチャネルは、多くのサブキャリアによって構成されることが好ましい。また、ＮＡＣＫは、符号拡散されていることが好ましい。ＮＡＣＫが符号拡散されている場合には、各無線端末１０で用いられる拡散符号が互いに異なることが好ましい。例えば、複数の拡散符号の中から、各無線端末１０がランダムに選択する。
【０１２９】
ここで、無線基地局２０は、送信パケットに対応するＮＡＣＫの送信タイミングを送信パケット毎に管理していることが好ましい。これによって、各無線端末１０は、どの送信パケットに対応するＮＡＣＫであるかを示す情報をＮＡＣＫに含める必要がない。
【０１３０】
例えば、無線基地局２０は、共通ＮＡＣＫチャネルを監視しており、共通ＮＡＣＫチャネルを用いて送信された信号の電力を検出する。無線基地局２０は、電力が検出された場合には、少なくとも１つの無線端末１０が送信パケットの受信に失敗したと判定する。無線基地局２０は、判定結果に応じて、再送パケット（例えば、上述した排他的論理和パケット）をマルチキャストで送信する。
【０１３１】
なお、無線基地局２０は、共通ＮＡＣＫチャネルを用いてＮＡＣＫが送信されていても、個別の無線リソースを用いて受信確認情報を送信するように無線端末１０に対して要求してもよい。
【０１３２】
一の送信パケットに対する２回目以降のＮＡＣＫ送信については、（１）個別の無線リソースを用いるケース、（２）共通の無線リソースを用いるケースが考えられる。（２）のケースでは、一の送信パケットに対するＮＡＣＫ送信に用いる共通の無線リソースは、他の送信パケットに対するＮＡＣＫ送信に用いる共通の無線リソースと区別されることは勿論である。共通の無線リソースは、ＮＡＣＫ送信回数毎に区別されることは勿論である。
【０１３３】
一の送信パケットに対する２回目以降のＮＡＣＫ送信において、個別の無線リソースを用いるか、共通の無線リソースを用いるかについては、予め定めておいてもよく、２回目以降のＮＡＣＫが送信される確率によって定めてもよい。
【０１３４】
（作用及び効果）
第５実施形態では、各無線端末１０は、共通ＮＡＣＫチャネルを用いてＮＡＣＫを送信する。これによって、受信確認情報の送信に必要な上り方向の無線リソースを削減することができる。
【０１３５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３６】
例えば、上述した第２実施形態及び第３実施形態は、送信パケットがユニキャストで送信されるケースに適用されるが、送信パケットがマルチキャストで送信されるケースに適用されてもよい。
【０１３７】
上述した実施形態では、２つの無線端末１０に送信パケットをマルチキャストで送信するケースを例に挙げて説明したが、これに限定されるものではない。３つ以上の無線端末１０に送信パケットをマルチキャストで送信してもよいことは勿論である。
【０１３８】
例えば、３つの無線端末１０に送信パケットをマルチキャストで送信するケースについて考える。
【０１３９】
図１６に示すように、無線端末１０Ａは、送信パケット＃２の受信に失敗するが、他の送信パケットの受信に成功する。無線端末１０Ｂは、送信パケット＃４の受信に失敗するが、他の送信パケットの受信に成功する。無線端末１０Ｃは、送信パケット＃３の受信に失敗するが、他の送信パケットの受信に成功する。
【０１４０】
無線基地局２０は、送信パケット＃２〜送信パケット＃４の排他的論理和である排他的論理和パケットを再送パケットとして、無線端末１０Ａ〜無線端末１０Ｃに送信する。
【０１４１】
無線端末１０Ａは、送信パケット＃３及び送信パケット＃４と排他的論理和パケットとの排他的論理和をとることによって、送信パケット＃２を復元する。無線端末１０Ｂは、送信パケット＃２及び送信パケット＃３と排他的論理和パケットとの排他的論理和をとることによって、送信パケット＃４を復元する。無線端末１０Ｃは、送信パケット＃２及び送信パケット＃４と排他的論理和パケットとの排他的論理和をとることによって、送信パケット＃３を復元する。
【０１４２】
このように、３つ以上の送信パケットによって排他的論理和パケットを生成するケースでは、排他的論理和パケットの生成に用いる全ての送信パケットに誤りビットが含まれていてもよい。このようなケースでは、排他的論理和パケットの生成に用いられる送信パケット数は、無線端末１０の受信状態に応じて定められてもよい。このようなケースでは、各無線端末１０は、自端末の受信状態を無線基地局２０に通知する。受信状態は、送信パケットのＳＩＮＲ、送信パケットの誤り訂正状態（上述した尤度の高さ）などによって定義される。
【０１４３】
第２実施形態〜第３実施形態では、シングルキャスト送信について例示したが、第２実施形態〜第３実施形態は、マルチキャスト送信に適用されてもよい。すなわち、マルチキャスト送信において、排他的論理和パケットの生成に用いる全ての送信パケットに誤りビットが含まれていてもよく、誤りビットを含むパケット（すなわち、最初に受信された新規パケット、排他的論理和パケットなど）を構成する各ビットの軟判定値を用いて送信パケットの復元が行われてもよい。
【０１４４】
上述した実施形態では、無線基地局２０が送信装置であり、無線端末１０が受信装置である。しかしながら、無線基地局２０が受信装置であり、無線端末１０が送信装置であってもよい。
【０１４５】
なお、パケットＢの再検出を行った後に、パケットＡの再検出を行ってもよい。また、パケットの再検出の回数は、特に限定されるものではない。パケットＡ及びパケットＢのそれぞれについて、２回以上のパケットの再検出が行われてもよい。
【０１４６】
第２実施形態及び第３実施形態では、排他的論理和パケットＡ＋Ｂに対応する各ビットの軟判定値と新規パケットＡに対応する各ビットの軟判定値との乗算によって、中間復元パケットＢに対応する各ビットの軟判定値が取得される。続いて、中間復元パケットＢに対応する各ビットの軟判定値と新規パケットＢに対応する各ビットの軟判定値との加算によって、パケットＢに対応する軟判定値が取得される。このようなケースにおいて、新規パケットＢに対応する各ビットの軟判定値に代えて、新規パケットＢに対応する各ビットの硬判定値が用いられてもよい。
【図面の簡単な説明】
【０１４７】
【図１】第１実施形態に係る通信システムの構成を示す図である。
【図２】第１実施形態に係る無線端末１０の構成を示すブロック図である。
【図３】第１実施形態に係る無線基地局２０の構成を示すブロック図である。
【図４】第１実施形態に係る再送パケットの再送を説明するための図である。
【図５】第１実施形態に係る通信システムの動作を示すシーケンス図である。
【図６】第２実施形態に係る無線端末１０の構成を示すブロック図である。
【図７】第２実施形態に係るパケットの復元について説明する図である。
【図８】第２実施形態に係るパケットの復元について説明する図である。
【図９】第２実施形態に係るパケットの復元について説明する図である。
【図１０】第２実施形態に係るパケットの復元について説明する図である。
【図１１】第３実施形態に係る無線端末１０の構成を示すブロック図である。
【図１２】第４実施形態に係る排他的論理和パケットの生成について説明する図である。
【図１３】第４実施形態に係る排他的論理和パケットの生成について説明する図である。
【図１４】背景技術に係るＮＡＣＫの送信方法について説明するための図である。
【図１５】第５実施形態に係るＮＡＣＫの送信方法について説明するための図である。
【図１６】その他の実施形態に係る再送パケットの再送を説明するための図である。
【符号の説明】
【０１４８】
１０・・・無線端末、１１１・・・受信部、１１２・・・復調部、１１３・・・誤り訂正部、１１４・・・誤り検出部、１１５・・・受信確認情報生成部、１１６・・・送信部、１１７・・・検出部、１１８・・・受信バッファ、１１９・・・復元部、２０・・・無線基地局、２１１・・・受信部、２１２・・・特定部、２１３・・・送信バッファ、２１４・・・タイミング制御部、２１５・・・再送パケット生成部、２１６・・・判定部、２１７・・・誤り検出付与部、２１８・・・誤り訂正付与部、２１９・・・変調部、２２０・・・送信部
【図１】
2010004186.tif 000003
【図２】
2010004186.tif 000004
【図３】
2010004186.tif 000005
【図４】
2010004186.tif 000006
【図５】
2010004186.tif 000007
【図６】
2010004186.tif 000008
【図７】
2010004186.tif 000009
【図８】
2010004186.tif 000010
【図９】
2010004186.tif 000011
【図１０】
2010004186.tif 000012
【図１１】
2010004186.tif 000013
【図１２】
2010004186.tif 000014
【図１３】
2010004186.tif 000015
【図１４】
2010004186.tif 000016
【図１５】
2010004186.tif 000017
【図１６】
2010004186.tif 000018